(57)【要約】【課題】無線受信回路に対してノイズ成分となるクロック信号の所定の高調波成分を確実に低減し、無線受信回路への悪影響を確実に防止する。【解決手段】クロック信号制御手段は、クロック信号の高調波成分のうち、受信帯域に重なるｎ（ｎは、２以上の自然数）次の高調波成分を下げて、受信感度を高めるために用いられる。クロック信号制御手段において、デューティ比設定手段は、クロック信号の周波数と、受信周波数とに基づいて、受信帯域に重なる高調波成分の次数を求め、次数に基づいて、高調波成分が下げられるデューティ比を求めて設定する。【選択図】図１
2009044271.tif 000002
【特許請求の範囲】
【請求項１】
ＣＰＵを内蔵し、前記ＣＰＵを含むデジタル回路を駆動するためのクロック信号の周波数又はその高調波成分の干渉による受信妨害が防止されるように構成された無線受信回路であって、
前記クロック信号の高調波成分のうち、受信帯域に重なるｎ（ｎは、２以上の自然数）次の前記高調波成分を下げて、受信感度を高めるためのクロック信号制御手段を備えてなり、
前記クロック信号制御手段は、前記クロック信号の周波数と、受信周波数とに基づいて、前記受信帯域に重なる前記高調波成分の次数を求め、前記次数に基づいて、前記高調波成分が下げられるデューティ比を求めて設定するデューティ比設定手段を有してなることを特徴とする無線受信回路。
【請求項２】
前記デューティ比設定手段は、前記次数の約数の逆数、又は１と前記逆数との差を、前記デューティ比として求めて設定することを特徴とする請求項１記載の無線受信回路。
【請求項３】
前記デューティ比設定手段は、前記受信周波数に対する前記クロック信号の周波数の比、又は前記比の近似値を、前記受信帯域に重なる前記高調波成分の前記次数として求めて設定することを特徴とする請求項１又は２記載の無線受信回路。
【請求項４】
前記クロック信号制御手段は、前記受信周波数に基づいて、前記高調波成分が下げられる前記クロック信号の立上り時間、又は／及び立下り時間を求めて設定する立上り・立下り時間設定手段を有してなることを特徴とする請求項１、２又は３記載の無線受信回路。
【請求項５】
ＣＰＵを内蔵し、前記ＣＰＵを含むデジタル回路を駆動するためのクロック信号の周波数又はその高調波成分の干渉による受信妨害が防止されるように構成された無線受信回路であって、
前記クロック信号の高調波成分のうち、受信帯域に重なるｎ（ｎは、２以上の自然数）次の前記高調波成分を下げて、受信感度を高めるためのクロック信号制御手段を備えてなり、
前記クロック信号制御手段は、受信周波数に基づいて、前記高調波成分が下げられる前記クロック信号の立上り時間、又は／及び立下り時間を求めて設定する立上り・立下り時間設定手段を有してなることを特徴とする無線受信回路。
【請求項６】
前記立上り・立下り時間設定手段は、前記受信周波数の逆数と、所定の自然数との積、又は前記積の近似値を、前記立上り時間、又は／及び前記立下り時間として求めて設定することを特徴とする請求項４又は５記載の無線受信回路。
【請求項７】
前記立上り・立下り時間設定手段は、前記受信周波数の近似値の約数の逆数、又は前記逆数の近似値を、前記立上り時間、又は／及び前記立下り時間として求めて設定することを請求項４又は５記載の特徴とする無線受信回路。
【請求項８】
ＣＰＵを内蔵し、前記ＣＰＵを含むデジタル回路を駆動するためのクロック信号の周波数又はその高調波成分の干渉による受信妨害が防止されるように構成された無線受信回路を備えた電子機器であって、
前記無線受信回路は、前記クロック信号の高調波成分のうち、受信帯域に重なるｎ（ｎは、２以上の自然数）次の前記高調波成分を下げて、受信感度を高めるためのクロック信号制御手段を備えてなり、
前記クロック信号制御手段は、前記クロック信号の周波数と、受信周波数とに基づいて、前記受信帯域に重なる前記高調波成分の次数を求め、前記次数に基づいて、前記高調波成分が下げられるデューティ比を求めて設定するデューティ比設定手段を有してなることを特徴とする電子機器。
【請求項９】
ＣＰＵを内蔵し、前記ＣＰＵを含むデジタル回路を駆動するためのクロック信号の周波数又はその高調波成分の干渉による受信妨害が防止されるように構成された無線受信回路を備えた電子機器であって、
前記無線受信回路は、前記クロック信号の高調波成分のうち、受信帯域に重なるｎ（ｎは、２以上の自然数）次の前記高調波成分を下げて、受信感度を高めるためのクロック信号制御手段を備えてなり、
前記クロック信号制御手段は、受信周波数に基づいて、前記高調波成分が下げられる前記クロック信号の立上り時間、又は／及び立下り時間を求めて設定する立上り・立下り時間設定手段を有してなることを特徴とする電子機器。
【請求項１０】
デジタル回路を駆動するためのクロック信号の周波数又はその高調波成分の干渉による無線受信回路における受信妨害を防止するためのクロック信号制御方法であって、
前記クロック信号の高調波成分のうち、受信帯域に重なるｎ（ｎは、２以上の自然数）次の前記高調波成分を下げて、受信感度を高めるための制御ステップを含み、
前記制御ステップは、前記クロック信号の周波数と、受信周波数とに基づいて、前記受信帯域に重なる前記高調波成分の次数を求め、前記次数に基づいて、前記高調波成分が下げられるデューティ比を求めて設定するデューティ比設定ステップを含むことを特徴とするクロック信号制御方法。
【請求項１１】
デジタル回路を駆動するためのクロック信号の周波数又はその高調波成分の干渉による無線受信回路における受信妨害を防止するためのクロック信号制御方法であって、
前記クロック信号の高調波成分のうち、受信帯域に重なるｎ（ｎは、２以上の自然数）次の前記高調波成分を下げて、受信感度を高めるための制御ステップを含み、
前記制御ステップは、受信周波数に基づいて、前記高調波成分が下げられる前記クロック信号の立上り時間、又は／及び立下り時間を求めて設定する立上り・立下り時間設定ステップを含むことを特徴とするクロック信号制御方法。
【請求項１２】
デジタル回路を駆動するためのクロック信号の周波数又はその高調波成分の干渉による無線受信回路における受信妨害を防止するためのクロック信号制御方法をコンピュータに実行させるための制御プログラムであって、
前記クロック信号の高調波成分のうち、受信帯域に重なるｎ（ｎは、２以上の自然数）次の前記高調波成分を下げて、受信感度を高めるための制御ステップをコンピュータに実行させ、
前記制御ステップは、前記クロック信号の周波数と、受信周波数とに基づいて、前記受信帯域に重なる前記高調波成分の次数を求め、前記次数に基づいて、前記高調波成分が下げられるデューティ比を求めて設定するデューティ比設定ステップを含むことを特徴とする制御プログラム。
【請求項１３】
デジタル回路を駆動するためのクロック信号の周波数又はその高調波成分の干渉による無線受信回路における受信妨害を防止するためのクロック信号制御方法をコンピュータに実行させるための制御プログラムであって、
前記クロック信号の高調波成分のうち、受信帯域に重なるｎ（ｎは、２以上の自然数）次の前記高調波成分を下げて、受信感度を高めるための制御ステップをコンピュータに実行させ、
前記制御ステップは、受信周波数に基づいて、前記高調波成分が下げられる前記クロック信号の立上り時間、又は／及び立下り時間を求めて設定する立上り・立下り時間設定ステップを含むことを特徴とする制御プログラム。
【発明の詳細な説明】
【技術分野】
【０００１】
この発明は、無線受信回路、電子機器、クロック信号制御方法及び制御プログラムに係り、携帯電話機等の無線受信回路が搭載された電子機器において、ＣＰＵ（Central Processing Unit）を含むデジタル回路を駆動するためのクロック信号の高調波成分の悪影響が防止される無線受信回路、該無線受信回路を備えた電子機器、クロック信号制御方法及び制御プログラムに関する。
【背景技術】
【０００２】
移動中や外出先でも使用可能であるという高い利便性によって、携帯型の電子機器としての携帯電話機が、広く普及してきている。携帯電話機は、本来の通話機能のほか、例えば電子メールの送受信や、インターネットに接続してホームページの閲覧が可能なデータ通信機能、撮影機能等を有し、さらに多機能化が進んでいる。
【０００３】
すなわち、最近は、付属機能の高度化がさらに加速され、地上波デジタル放送の１ＳＥＧ（１セグメント）放送の受信機能や、ゲーム機としての機能を備えた機種も普及してきている。さらに、ＧＰＳ（Global Positioning System）衛星からの信号を受信するＧＰＳ受信機能や、無線ＬＡＮ（Wireless Local area network）接続機能も追加され，さらに、表示部を構成する液晶表示装置（ＬＣＤ：Liquid Crystal Display）の大画面化も図られてきている。
【０００４】
したがって、携帯電話機を構成する各部をデジタル回路を駆動するためのクロック信号数も増加している。デジタル回路に供給されるクロック信号は、例えば、矩形形状のパルス波からなり、高次の高調波成分を多く含んでいる。クロック信号の高調波成分は、無線受信回路に悪影響を及ぼし、感度劣化を引き起こすという問題があった。
このため、クロック信号の高調波成分が、無線受信回路の周波数に当らないように、クロック信号の周波数を選択する技術が提案されている（例えば、特許文献１参照。）。
【０００５】
しかしながら、制御用のクロック信号数が増大して、対応しきれなくなっており、無線受信回路をシールドしたり、磁性体シートを貼ったりしていた。したがって、上述した感度劣化の対策のために、構成部材及び部品が増加して、コストが嵩み、小型化の妨げともなっていた。
このため、クロック信号の立上りをなだらかな波形として高調波成分を下げる技術が提案されている（例えば、特許文献２参照。）。
また、クロック信号のデューティ比を、このクロック信号の高調波成分が、受信波に対するノイズ波成分として、最小となるように設定する技術が提案されている（例えば、特許文献３、特許文献４参照。）。
【特許文献１】実開昭５７−１９５２５７号公報
【特許文献２】特開２００１−０７７６８３号公報
【特許文献３】特開２０００−０４９５７６号公報
【特許文献４】特開平０９−０８１２６１号公報
【発明の開示】
【発明が解決しようとする課題】
【０００６】
解決しようとする問題点は、上記従来技術では、制御用のクロック信号の高調波成分の無線受信回路への悪影響を確実に防止することが困難であるという点である。
例えば、クロック信号のデューティ比を、高調波成分が、受信波に対するノイズ波成分として、最小となるように設定する場合に、上記デューティ比は、実測等によって求めなければならないので、正確かつ簡単に設定することが困難である。
【０００７】
この発明は、上述の事情に鑑みてなされたもので、無線受信回路に対してノイズ成分となるクロック信号の所定の高調波成分を確実に低減し、無線受信回路への悪影響を確実に防止することができる無線受信回路、電子機器、クロック信号制御方法及び制御プログラムを提供することを目的としている。
【課題を解決するための手段】
【０００８】
上記課題を解決するために、この発明の第１の無線受信回路は、ＣＰＵを内蔵し、上記ＣＰＵを含むデジタル回路を駆動するためのクロック信号の周波数又はその高調波成分の干渉による受信妨害が防止されるように構成された無線受信回路に係り、上記クロック信号の高調波成分のうち、受信帯域に重なるｎ（ｎは、２以上の自然数）次の上記高調波成分を下げて、受信感度を高めるためのクロック信号制御手段を備えてなり、上記クロック信号制御手段は、上記クロック信号の周波数と、受信周波数とに基づいて、上記受信帯域に重なる上記高調波成分の次数を求め、上記次数に基づいて、上記高調波成分が下げられるデューティ比を求めて設定するデューティ比設定手段を有してなることを特徴としている。
【０００９】
また、この発明の第２の無線受信回路は、ＣＰＵを内蔵し、上記ＣＰＵを含むデジタル回路を駆動するためのクロック信号の周波数又はその高調波成分の干渉による受信妨害が防止されるように構成された無線受信回路に係り、上記クロック信号の高調波成分のうち、受信帯域に重なるｎ（ｎは、２以上の自然数）次の上記高調波成分を下げて、受信感度を高めるためのクロック信号制御手段を備えてなり、上記クロック信号制御手段は、受信周波数に基づいて、上記高調波成分が下げられる上記クロック信号の立上り時間、又は／及び立下り時間を求めて設定する立上り・立下り時間設定手段を有してなることを特徴としている。
【００１０】
また、この発明の第１の電子機器は、ＣＰＵを内蔵し、上記ＣＰＵを含むデジタル回路を駆動するためのクロック信号の周波数又はその高調波成分の干渉による受信妨害が防止されるように構成された無線受信回路を備えた電子機器に係り、上記無線受信回路は、上記クロック信号の高調波成分のうち、受信帯域に重なるｎ（ｎは、２以上の自然数）次の上記高調波成分を下げて、受信感度を高めるためのクロック信号制御手段を備えてなり、上記クロック信号制御手段は、上記クロック信号の周波数と、受信周波数とに基づいて、上記受信帯域に重なる上記高調波成分の次数を求め、上記次数に基づいて、上記高調波成分が下げられるデューティ比を求めて設定するデューティ比設定手段を有してなることを特徴としている。
【００１１】
また、この発明の第２の電子機器は、ＣＰＵを内蔵し、上記ＣＰＵを含むデジタル回路を駆動するためのクロック信号の周波数又はその高調波成分の干渉による受信妨害が防止されるように構成された無線受信回路を備えた電子機器に係り、上記無線受信回路は、上記クロック信号の高調波成分のうち、受信帯域に重なるｎ（ｎは、２以上の自然数）次の上記高調波成分を下げて、受信感度を高めるためのクロック信号制御手段を備えてなり、上記クロック信号制御手段は、受信周波数に基づいて、上記高調波成分が下げられる上記クロック信号の立上り時間、又は／及び立下り時間を求めて設定する立上り・立下り時間設定手段を有してなることを特徴としている。
【００１２】
また、この発明の第１のクロック信号制御方法は、デジタル回路を駆動するためのクロック信号の周波数又はその高調波成分の干渉による無線受信回路における受信妨害を防止するためのクロック信号制御方法に係り、上記クロック信号の高調波成分のうち、受信帯域に重なるｎ（ｎは、２以上の自然数）次の上記高調波成分を下げて、受信感度を高めるための制御ステップを含み、上記制御ステップは、上記クロック信号の周波数と、受信周波数とに基づいて、上記受信帯域に重なる上記高調波成分の次数を求め、上記次数に基づいて、上記高調波成分が下げられるデューティ比を求めて設定するデューティ比設定ステップを含むことを特徴としている。
【００１３】
また、この発明の第２のクロック信号制御方法は、デジタル回路を駆動するためのクロック信号の周波数又はその高調波成分の干渉による無線受信回路における受信妨害を防止するためのクロック信号制御方法に係り、上記クロック信号の高調波成分のうち、受信帯域に重なるｎ（ｎは、２以上の自然数）次の上記高調波成分を下げて、受信感度を高めるための制御ステップを含み、上記制御ステップは、受信周波数に基づいて、上記高調波成分が下げられる上記クロック信号の立上り時間、又は／及び立下り時間を求めて設定する立上り・立下り時間設定ステップを含むことを特徴としている。
【００１４】
また、この発明の第１の制御プログラムは、デジタル回路を駆動するためのクロック信号の周波数又はその高調波成分の干渉による無線受信回路における受信妨害を防止するためのクロック信号制御方法をコンピュータに実行させるための制御プログラムに係り、上記クロック信号の高調波成分のうち、受信帯域に重なるｎ（ｎは、２以上の自然数）次の上記高調波成分を下げて、受信感度を高めるための制御ステップをコンピュータに実行させ、上記制御ステップは、上記クロック信号の周波数と、受信周波数とに基づいて、上記受信帯域に重なる上記高調波成分の次数を求め、上記次数に基づいて、上記高調波成分が下げられるデューティ比を求めて設定するデューティ比設定ステップを含むことを特徴としている。
【００１５】
また、この発明の第２の制御プログラムは、デジタル回路を駆動するためのクロック信号の周波数又はその高調波成分の干渉による無線受信回路における受信妨害を防止するためのクロック信号制御方法をコンピュータに実行させるための制御プログラムに係り、上記クロック信号の高調波成分のうち、受信帯域に重なるｎ（ｎは、２以上の自然数）次の上記高調波成分を下げて、受信感度を高めるための制御ステップをコンピュータに実行させ、上記制御ステップは、受信周波数に基づいて、上記高調波成分が下げられる上記クロック信号の立上り時間、又は／及び立下り時間を求めて設定する立上り・立下り時間設定ステップを含むことを特徴としている。
【発明の効果】
【００１６】
この発明の構成によれば、デューティ比設定手段が、クロック信号の周波数と、受信周波数とに基づいて、受信帯域に重なるｎ（ｎは、２以上の自然数）次の高調波成分の次数を求め、次数に基づいて、高調波成分が下げられるデューティ比を求めて設定することによって、又は立上り・立下り時間設定手段が、受信周波数に基づいて、高調波成分が下げられる立上り時間、又は／及び立下り時間を求めて設定することによって、無線受信回路に対してノイズ成分となるクロック信号の所定の高調波成分を確実に低減し、無線受信回路への悪影響を確実に防止することができる。
【発明を実施するための最良の形態】
【００１７】
デューティ比設定手段が、クロック信号の周波数と、受信周波数とに基づいて、受信帯域に重なるｎ（ｎは、２以上の自然数）次の高調波成分の次数を求め、次数に基づいて、高調波成分が下げられるデューティ比を求めて設定することによって、又は立上り・立下り時間設定手段が、受信周波数に基づいて、高調波成分が下げられる立上り時間、又は／及び立下り時間を求めて設定することによって、無線受信回路に対してノイズ成分となるクロック信号の所定の高調波成分を確実に低減し、無線受信回路への悪影響を確実に防止するという目的を実現した。
【実施例１】
【００１８】
図１は、この発明の第１の実施例である携帯電話機のクロック出力部の構成を示すブロック図、図２は、同携帯電話機の構成を示すブロック図、図３は、同携帯電話機のコントローラの構成を示すブロック図、また、図４は、同クロック出力部のデューティ比可変回路の出力波形を示す波形図である。
【００１９】
この例の携帯電話機１は、図２に示すように、携帯電話機本体の構成各部を制御するコントローラ２と、アンテナ３を介して無線電波の送受信を行い、所定のプロトコルに従って通話やデータ通信を行うために用いられる無線通信部４と、例えば受話音声を出力するスピーカからなる受話部５と、例えば着信時に着信音を出力する音声出力部６と、送話音声を入力するマイクロフォンからなる送話部７と、液晶表示装置からなり、例えば機能設定画面や待受画面等が表示される表示部８と、数字や文字の入力操作等を行うための多数の各種操作キー等からなる操作部９と、ＬＥＤ（Light  Emission  Diode）を有し、例えば着信時や通話時に発光する発光部１１と、例えば周囲の風景や人物等を撮影するための電子カメラ部１２と、例えばメモリカードから情報を読み取り、かつ、書き込むためのカード読取書込部１３とを備えてなっている。
【００２０】
コントローラ２は、図３に示すように、ＣＰＵ（Central Processing Unit）等からなり、記憶部１６に記憶された所定の制御プログラムに従って構成各部を制御する主制御部１５と、ＲＯＭやＲＡＭ等の半導体メモリからなり、主制御部１５が実行する制御プログラムや各種データ等を記憶するための記憶部１６と、入出力制御部１７とを有している。
【００２１】
無線通信部４は、ＲＦ回路や、変復調回路、ベースバンド処理回路等からなり、音声やデータを変調してアンテナ３を介して無線電波として送信すると共に、無線電波をアンテナ３を介して受信し音声やデータに復調し、所定のプロトコルに従って通話やデータ通信を行うために用いられる。
【００２２】
この例の無線通信部４は、図１に示すように、記憶部２２に記憶された所定の制御プログラムに従ってクロック信号を制御するクロック制御部２１と、クロック制御部２１が実行する制御プログラムや各種データ等を記憶するための記憶部２２と、所定の周波数ｆ0のマスタクロック信号ｐ0を発生させるクロック信号発生回路２３と、クロック信号発生回路２３から出力されたマスタクロック信号ｐ0を分周し、かつ、デューティ比Ｄを変化させて、図４に示すように、所定の周波数ｆ1及びデューティ比Ｄの矩形状のクロック信号ｐ1を出力するデューティ比可変回路２５とから概略構成されたクロック出力部２６を有している。
【００２３】
デューティ比可変回路２５から出力されたクロック信号ｐ1は、無線通信部４を構成するデジタル回路に供給される。
なお、図４において、横軸の時間ｔ、及び縦軸のクロック信号ｐ1の出力電圧ｇの目盛りの数値について、それぞれ定数倍した値が実際の値（時間ｔ[ｓ］、出力電圧ｇ［Ｖ］）を示す。また、Ｌは、半周期（Ｌ＝Ｔ／２）を示す。
【００２４】
クロック制御部２１は、記憶部２２に記憶された制御プログラムに従って、例えば、デューティ比設定処理や、デューティ比制御処理等を実行する。
デューティ比設定処理は、対象次数算出処理と、デューティ比候補選定処理と、最適デューティ比抽出処理と、マスタクロック周波数選定処理とを含んでいる。
【００２５】
クロック制御部２１は、対象次数算出処理で、無線通信部４の無線受信回路での受信周波数ｆrと、クロック信号ｐ1の周波数ｆ1とに基づいて、受信波に対するノイズ成分としてのクロック信号ｐ1の高調波の次数を算出する。
ここで、受信周波数ｆrや、クロック信号ｐ1の周波数ｆ1は、予め設定情報として、記憶部２２に記憶された値を用いても良いし、操作部９を介して入力された設定情報を、主制御部１５を介して受け取って用いても良い。
【００２６】
クロック制御部２１は、受信周波数ｆrをクロック信号ｐ1の周波数ｆ1で除して得られた整数を、対象の周波数成分の次数として求める。例えば、受信周波数ｆrが、（ｆr＝８８０［ＭＨｚ］）、クロック信号ｐ1の周波数ｆ1が、（ｆ1＝４［ＭＨｚ］）の場合は、対象次数は、２２０となり、輻射される２２０次の高調波が、受信回路で感度劣化を引き起こすノイズ成分として低減対象となる。
【００２７】
また、クロック制御部２１は、デューティ比候補選定処理で、対象次数の約数（但し、「１」を除く）ｍを全て求め、デューティ比候補として、１／ｍ、（ｍ−１）／ｍを選定する。
例えば、対象次数が、２２０の場合には、１／２，１／４，３／４，１／５，４／５，…，１／１０，９／１０，…，１／２２０，２１９／２２０がデューティ比候補として選定される。
また、クロック制御部２１は、最適デューティ比抽出処理で、デューティ比候補選定処理で選定された複数のデューティ比候補のなかから、ノイズ成分としての高調波の低減のために最適な１つのデューティ比を選定する。
【００２８】
ここで、クロック信号ｐ1のデューティＤを最適に制御することで、無線受信回路で感度劣化を引き起こすノイズ成分としてのクロック信号ｐ1の高次の高調波が下げられる理由について説明する。
一般に、クロック信号ｇ（ｔ）は、周期関数であるために、フーリエ展開が可能であり、式（１）のように表すことができる。
【００２９】
【数１】
2009044271.tif 000003
【００３０】
但し、ｎは、自然数（ｎ＝１，２，…）である。
ここで、式（１）において、ａn、ｂnは、それぞれ、式（２）、式（３）のように表すことができる。なお、ａ0は、矩形状のクロック信号ｇ（ｔ）の振幅を示す。
【００３１】
【数２】
2009044271.tif 000004
【００３２】
【数３】
2009044271.tif 000005
【００３３】
クロック信号ｇ（ｔ）は、縦軸（ｙ軸）に対して対称の場合は、デューティ比Ｄに依らず、縦軸に対して対称となり、偶関数として表すことができる。この場合、クロック信号ｇ（ｔ）は、式（４）のように表すことができる。
【００３４】
【数４】
2009044271.tif 000006
【００３５】
例えば、デューティ比Ｄが、（Ｄ＝１／２（５０％））の場合について考え、式（４）を展開すると、式（５）のように表すことができる。
【００３６】
【数５】
2009044271.tif 000007
【００３７】
式（５）において、ａ1，ａ2，ａ3，ａ4、ａ5は、それぞれ、式（６）、式（７）、式（８）、式（９）、式（１０）のように表すことができる。
【００３８】
【数６】
2009044271.tif 000008
【００３９】
【数７】
2009044271.tif 000009
【００４０】
【数８】
2009044271.tif 000010
【００４１】
【数９】
2009044271.tif 000011
【００４２】
【数１０】
2009044271.tif 000012
【００４３】
式（５）に、式（６）、式（７）、式（８）、式（９）、式（１０）のａ1，ａ2，ａ3，ａ4、ａ5を、それぞれ代入すると、２ｎ次の項が消去され、クロック信号ｇ（ｔ）は、式（１１）のように表すことができる。
【００４４】
【数１１】
2009044271.tif 000013
【００４５】
同様にして、例えば、デューティ比Ｄが、（Ｄ＝１／３）、又は（Ｄ＝２／３）の場合は、３ｎ次の項が消去され、（Ｄ＝１／４）、又は（Ｄ＝３／４）の場合は、４ｎ次の項が消去される。
【００４６】
一般に、デューティ比Ｄが、（Ｄ＝１／ｍ）、又は（Ｄ＝（ｍ−１）／ｍ）の場合に、ｍｎ次の項が消去される。
したがって、クロック信号ｐ1のデューティＤを最適に制御することで、受信回路で感度劣化を引き起こすノイズ成分としてのクロック信号ｐ1の所定の次数の高調波を下げることが可能となる。
【００４７】
例えば、受信周波数ｆrが８８０［ＭＨｚ］、クロック信号ｐ1の周波数ｆ1が４［ＭＨｚ］の場合は、２２０次の高調波が輻射されて、受信回路で感度劣化を引き起こす虞がある。
そこで、クロック信号ｐ1のデューティ比Ｄを、次数の約数ｍを求め、（Ｄ＝１／ｍ）、又は（Ｄ＝（ｍ−１）／ｍ）として、１／２，１／４，３／４，１／５，４／５，１／１０，９／１０，…のなかからデューティ比Ｄを選択することで、理論上、２２０次の高調波を消去することが可能となる。これにより、クロック信号ｐ1が、受信周波数ｆrが８８０［ＭＨｚ］の受信回路に対して悪影響を及ぼすことが回避される。
【００４８】
クロック制御部２１は、マスタクロック周波数選定処理で、クロック信号発生部２３から出力されるマスタクロック信号ｐ0の周波数ｆ0を、その高調波が、受信回路で感度劣化を引き起こすノイズ成分を含まないように選定する。
すなわち、クロック制御部２１は、マスタクロック信号ｐ0の周波数ｆ0を、クロック信号ｐ1の周波数ｆ1と、対象次数の約数ｍではない自然数と、最適デューティ比抽出処理で選定したデューティ比Ｄに対応する約数ｍとの積として求める。
【００４９】
例えば、デューティ比Ｄとして１／４（２５％）を選択した場合に、周波数（ｆ1＝４［ＭＨｚ］）のクロック信号ｐ1のデューティ比Ｄを１／４（２５％）とするためには、マスタクロック信号ｐ0を用いてデューティ比Ｄを制御することが可能である。
この場合、クロック信号ｐ1の周波数ｆ1が、（ｆ1＝４［ＭＨｚ］）で、対象次数が「２２０」のとき、マスタクロック信号ｐ0の高調波を、ｆr＝８８０［ＭＨｚ］に当らないようにするためには、選定したデューティ比Ｄに対応する約数ｍとして「４」、対象次数の約数ではない自然数として「３」を選択すると、（ｆ0＝４［ＭＨｚ］×３×４＝４８［ＭＨｚ］）と算出される。
クロック制御部２１は、算出したマスタクロック信号ｐ0の周波数ｆ0、クロック信号ｐ1の周波数ｆ1及びデューティ比Ｄを、設定情報として、記憶部２２の情報記憶部に記憶させる。
【００５０】
クロック制御部２１は、デューティ比制御処理で、デューティ比可変部２５を制御して、選定されたデューティ比Ｄに基づいて、クロック信号ｐ0のデューティ比を制御して、周波数ｆ1及びデューティ比Ｄのクロック信号ｐ1を出力させる。
【００５１】
記憶部２２は、デューティ比設定処理プログラムや、デューティ比制御処理プログラム等の制御プログラム等が記憶されたプログラム記憶部と、設定情報等の各種情報が記憶された情報記憶部とを有してなっている。
【００５２】
次に、図１を参照して、この例の携帯電話機のクロック出力部の動作について説明する。
まず、デューティ比設定処理について説明する。
クロック制御部２１は、対象次数算出処理で、無線通信部４の無線受信回路での受信周波数ｆrと、クロック信号ｐ1の周波数ｆ1とに基づいて、受信波に対するノイズ成分としてのクロック信号ｐ1の高調波の次数を算出する。
ここで、受信周波数ｆrや、クロック信号ｐ1の周波数ｆ1は、予め設定情報として、記憶部２２に記憶された値を用いても良いし、操作部９を介して入力された設定情報を、主制御部１５を介して受け取って用いても良い。
【００５３】
すなわち、クロック制御部２１は、受信周波数ｆrをクロック信号ｐ1の周波数ｆ1で除して得られた整数を、対象の周波数成分の次数として求める。例えば、受信周波数ｆrが、（ｆr＝８８０［ＭＨｚ］）、クロック信号ｐ1の周波数ｆ1が、（ｆ1＝４［ＭＨｚ］）の場合は、対象次数は、２２０となり、輻射される２２０次の高調波が、受信回路で感度劣化を引き起こすノイズ成分として対象となる。
【００５４】
次に、クロック制御部２１は、デューティ比候補選定処理で、対象次数の約数（但し、「１」を除く）ｍを全て求め、デューティ比候補として、１／ｍ，（ｍ−１）／ｍを選定する。
例えば、対象次数が、２２０の場合には、１／２，１／４，３／４，１／５，４／５，…，１／１０，９／１０，…，１／２２０，２１９／２２０がデューティ比候補として選定される。
次に、クロック制御部２１は、最適デューティ比抽出処理で、デューティ比候補選定処理で選定された複数のデューティ比候補のなかから、ノイズ成分としての高調波の低減のために最適な１つのデューティ比を選定する。
【００５５】
例えば、受信周波数ｆrが８８０［ＭＨｚ］、クロック信号ｐ1の周波数ｆ1が４［ＭＨｚ］の場合は、２２０次の高調波が輻射されて、受信回路で感度劣化を引き起こす虞がある。
そこで、クロック信号ｐ1のデューティ比Ｄを、次数の約数ｍを求め、（Ｄ＝１／ｍ）、又は（Ｄ＝（ｍ−１）／ｍ）として、１／２，１／４，３／４，１／５，４／５，１／１０，９／１０，…のなかからデューティ比Ｄを選択することで、理論上、２２０次の高調波を消去することが可能となる。これにより、クロック信号ｐ1が、受信周波数ｆrが８８０［ＭＨｚ］の受信回路に対して悪影響を及ぼすことが回避される。
【００５６】
次に、クロック制御部２１は、マスタクロック周波数選定処理で、クロック信号発生部２３から出力されるマスタクロック信号ｐ0の周波数ｆ0を、その高調波が、無線受信回路で感度劣化を引き起こすノイズ成分を含まないように選定する。
すなわち、クロック制御部２１は、マスタクロック信号ｐ0の周波数ｆ0を、クロック信号ｐ1の周波数ｆ1と、対象次数の約数ｍではない自然数と、最適デューティ比抽出処理で選定したデューティ比Ｄに対応する約数ｍとの積として求める。
【００５７】
例えば、クロック信号ｐ1の周波数ｆ1が、（ｆ1＝４［ＭＨｚ］）で、対象次数が「２２０」のとき、マスタクロック信号ｐ0の高調波を、ｆr＝８８０［ＭＨｚ］に当らないようにするために、選定したデューティ比Ｄに対応する約数ｍとして「４」、対象次数の約数ではない自然数として「３」を選択すると、（ｆ0＝４［ＭＨｚ］×３×４＝４８［ＭＨｚ］）と算出される。
クロック制御部２１は、算出したマスタクロック信号ｐ0の周波数ｆ0、クロック信号ｐ1の周波数ｆ1及びデューティ比Ｄを、設定情報として、記憶部２２の情報記憶部に記憶させる。
【００５８】
デューティ比Ｄの設定処理後、クロック制御部２１は、図１に示すように、デューティ比制御処理で、デューティ比可変部２５を制御して、選定されたデューティ比Ｄに基づいて、クロック信号ｐ0のデューティ比を制御して、周波数ｆ1及びデューティ比Ｄのクロック信号ｐ1を出力させる。
【００５９】
通信時に、例えば、周波数ｆr（＝８８０［ＭＨｚ］）の受信波を受ける場合に、クロック信号発生回路２３から、例えば、周波数ｆ0（＝４８［ＭＨｚ］）のクロック信号ｐ0が出力されると、デューティ比可変回路２５では、周波数ｆ1が４［ＭＨｚ］で、次数２２０の約数について、（Ｄ＝１／ｍ）、又は（Ｄ＝（ｍ−１）／ｍ）として、１／２，１／４，３／４，１／５，４／５，１／１０，９／１０，…のなかから選択されたデューティ比Ｄのクロック信号ｐ1を出力する。
これにより、クロック信号ｐ1の２２０次の高調波が輻射されて、受信周波数ｆrが８８０［ＭＨｚ］の受信回路で感度劣化を引き起こすことが回避される。
【００６０】
このように、この例の構成によれば、受信周波数ｆrとクロック信号ｐ1の周波数ｆ1とから、クロック信号ｐ1のうち、受信波に対するノイズ成分としての対象の高調波成分の次数を求め、次数の約数から、１／約数又は（約数−１）／約数を、対象の高調波成分の低減が可能なクロック信号ｐ1のデューティ比として求め、このデューティ比のクロック信号ｐ1を用いることで、クロック信号ｐ1の高調波成分の受信回路への影響を確実に防止することができる。
【００６１】
すなわち、理論上消去可能な高調波成分に対応するデューティ比を、実測によることなく正確に、かつ、１／約数又は（約数−１）／約数として、簡単に求めることができる。
これにより、クロック信号ｐ1の高調波成分が受信帯域に当っていても、この高調波成分の生成自体を低減することができる。
このように、実測によることなく正確に求められることにより、一旦求めたデューティ比のクロック信号ｐ1を用いることによって、携帯電話機が置かれた環境によらず、クロック信号ｐ1の高調波成分の無線受信回路への影響を確実に防止することができる。したがって、移動端末としての携帯電話機に適用して好適である。
【００６２】
また、デューティ比を、１／約数又は（約数−１）／約数として、簡単に求めることができるので、例えば、受信周波数が変更となっても、デューティ比設定処理プログラムを用いて簡単に設定し直すことができる。
また、プログラムを含むデューティ比設定処理機能や、デューティ比制御処理機能は、クロック信号の所定の高調波成分を低減したい電子機器において、共通に利用可能であり、高い汎用性を有している。
【００６３】
また、例えば、シールドのための部材を必要としないので、クロック信号ｐ1の高調波成分の受信回路への影響を確実に防止しつつ、コスト低下及び機器の小型化に寄与することができる。
また、クロック制御部２１は、マスタクロック周波数選定処理で、クロック信号発生回路２３から出力されるマスタクロック信号ｐ0の周波数ｆ0を、その高調波が、受信回路で感度劣化を引き起こすノイズ成分を含まないように、マスタクロック信号ｐ0の周波数ｆ0を、クロック信号ｐ1の周波数ｆ1と、対象次数の約数ではない整数と、最適デューティ比抽出処理で選定したデューティ比に対応する約数との積として求めるので、マスタクロック信号ｐ0の高調波成分の無線受信回路への影響も確実に防止することができる。
【実施例２】
【００６４】
図５は、この発明の第２の実施例である携帯電話機の構成を示すブロック図である。
この例の構成が上述した第１の実施例の構成と大きく異なるところは、第１の実施例では、受信回路が単一であったのに対して、２種類の受信回路を備える場合に、異なる受信周波数について、２つの次数の公約数から、クロック信号のデューティ比を選択するように構成した点である。
これ以外の構成は、上述した第１の実施例の構成と略同一であるので、第１の実施例と同一の構成要素については、図５において、図２で用いた符号と同一の符号を付して、その説明を簡略にする。
【００６５】
この例の携帯電話機１Ａは、図５に示すように、コントローラ２と、アンテナ３を介して無線電波の送受信を行い、所定のプロトコルに従って通話やデータ通信を行うために用いられる無線通信部４Ａと、アンテナ３１を介して、複数（例えば、４基）のＧＰＳ衛星からの信号を受信するためのＧＰＳ受信部３２と、受話部５と、音声出力部６と、送話部７と、表示部８と、操作部９と、発光部１１と、電子カメラ部１２と、カード読取書込部１３とを備えてなっている。
【００６６】
例えば、無線通信部４Ａにおいて、クロック出力部のクロック制御部は、対象次数算出処理と、デューティ比候補選定処理と、最適デューティ比抽出処理と、マスタクロック周波数選定処理とを含むデューティ比設定処理や、デューティ比制御処理等を実行する。
このクロック制御部は、対象次数算出処理では、２種類の受信波に対するデューティ比可変回路から出力されるクロック信号の高調波の２つの次数を算出する。
【００６７】
また、このクロック制御部は、デューティ比候補選定処理では、２つの次数の公約数ｍを全て求め、デューティ比候補として、１／ｍ、（ｍ−１）／ｍを選定する。
また、このクロック制御部は、マスタクロック周波数選定処理では、マスタクロック信号の周波数を、デューティ比可変回路から出力されるクロック信号の周波数と、いずれの対象次数の約数ｍでもない自然数と、最適デューティ比抽出処理で選定したデューティ比Ｄに対応する公約数ｍとの積として求める。
【００６８】
この例の構成によれば、上述した第１の実施例と略同様の効果を得ることができる。
加えて、デューティ比を、１／約数又は（約数−１）／約数として、簡単に求めることができるので、２種類の受信波についても、約数として公約数を用いることによって、共通のデューティ比を求め、２種類の受信波に対するノイズ成分としてのクロック信号ｐ1の高調波成分を低減して、２つの受信回路への影響を確実に防止することができる。しかも、この共通のデューティ比を簡単に設定することができる。
【実施例３】
【００６９】
図６は、この発明の第３の実施例である携帯電話機のクロック出力部の構成を示すブロック図、図７は、同クロック出力部の立上り・立下り時間可変回路の構成を示す回路図、図８は、同立上り・立下り時間可変回路の出力波形を示す波形図、また、図９は、同立上り・立下り時間可変回路からのクロック信号の出力波形のスペクトルを説明するための説明図である。
【００７０】
この例の構成が上述した第１の実施例の構成と大きく異なるところは、クロック信号のデューティ比に加えて、立上り・立下り時間を制御して、所定の高調波を低減するように構成した点である。
これ以外の構成は、上述した第１の実施例の構成と略同一であるので、第１の実施例と同一の構成要素については、図６において、図１で用いた符号と同一の符号を付して、その説明を簡略にする。
【００７１】
この例の携帯電話機のクロック出力部２６Ｂは、図６に示すように、クロック制御部２１Ｂと、記憶部２２Ｂと、マスタクロック信号ｑ0を発生させるクロック信号発生部２３と、クロック制御部２１Ｂの制御によって、クロック信号発生部２３Ｂから出力された周波数ｆ0のマスタクロック信号ｐ0を分周し、かつ、デューティ比Ｄを変化させて、所定の周波数ｆ1及びデューティ比Ｄのクロック信号ｑ1を出力するデューティ比可変部２５と、クロック信号ｑ1の立上り・立下り時間ｔrを変化させて、図８に示すように、所定の周波数ｆ1及びデューティ比Ｄの台形状のクロック信号ｑ2を出力する立上り・立下り時間可変回路４１とを有している。
【００７２】
なお、図８において、横軸の時間ｔ、及び縦軸のクロック信号ｑ2の出力電圧ｈの目盛りの数値について、それぞれ定数倍した値が実際の値（時間ｔ[ｓ］、出力電圧ｈ［Ｖ］）を示す。また、Ｔは、台形状のクロック信号ｑ2の周期、ｄは、クロック信号ｑ2のパルス幅（立上り期間の半分の時刻（ｈ＝０）から立下り期間の半分の時刻（ｈ＝０）までの時間）を示す。
【００７３】
クロック制御部２１Ｂは、記憶部２２Ｂに記憶された制御プログラムに従って、デューティ比設定処理や、デューティ比制御処理のほか、例えば、立上り・立下り時間設定処理や、立上り・立下り時間制御処理等を実行する。
立上り・立下り時間設定処理は、立上り・立下り時間候補選定処理と、最適立上り・立下り時間比抽出処理とを含んでいる。
【００７４】
クロック制御部２１Ｂは、立上り・立下り時間候補選定処理で、受信周波数ｆrの約数ｍを求め、立上り・立下り時間ｔrの候補として、（ｔr＝１／ｍ）を選定する。
例えば、受信周波数ｆrが、（ｆr＝８８０［ＭＨｚ］）、クロック信号ｑ2の周波数ｆ1が、（ｆ1＝４［ＭＨｚ］）の場合には、１／２２０［μｓ］，１／１１０［μｓ］，１／５５［μｓ］，…が立上り・立下り時間候補として選定される。
また、クロック制御部２１Ｂは、最適立上り・立下り時間抽出処理で、立上り・立下り時間候補選定処理で選定された複数の立上り・立下り時間候補のなかから、１つの立上り・立下り時間を選定する。
【００７５】
クロック信号ｑ2の立上り・立下り時間を最適に制御することで、受信回路で感度劣化を引き起こすノイズ成分としてのクロック信号ｑ2の高次の高調波が下げられる。
台形状のクロック信号ｈ（ｔ）は、周期関数であるために、フーリエ展開が可能であり、式（１２）のように表すことができる。
【００７６】
【数１２】
2009044271.tif 000014
【００７７】
なお、ｃ0は、台形状のクロック信号ｈ（ｔ）の振幅、ｎは、自然数（ｎ＝１，２，…）を示す。
式（１２）によって示されるクロック信号ｈ（ｔ）のスペクトルは、図９に示すように表され、立上り・立下り時間の逆数の成分毎に、スプリアスを低減できることがわかる。したがって、クロック信号ｑ2の立上り・立下り時間を制御することによって、無線受信回路で感度劣化を引き起こすノイズ成分としての所定の次数の高調波が低減される。
なお、同図において、横軸上の逆山形の記号は、出力の周波数成分のうち、理論上「０」となる周波数（座標位置）を示す。
【００７８】
また、クロック制御部２１Ｂは、立上り・立下り時間制御処理で、立上り・立下り時間可変回路４１を制御して、選定された立上り・立下り時間に基づいて、クロック信号の立上り・立下り時間ｔrを変化させて、所定の周波数ｆ1、デューティ比Ｄ、及び立上り・立下り時間ｔrのクロック信号ｑ2を出力させる。
【００７９】
記憶部２２Ｂは、デューティ比設定処理プログラムや、デューティ比制御処理プログラム、立上り・立下り時間設定処理プログラム、立上り・立下り時間制御処理プログラム等の制御プログラム等が記憶されたプログラム記憶部と、設定情報等の各種情報が記憶された情報記憶部とを有してなっている。
【００８０】
立上り・立下り時間可変回路４１は、図７に示すように、ゲート同士が接続されたｐＭＯＳＦＥＴ４２及びｎＭＯＳＦＥＴ４３と、電源とｐＭＯＳＦＥＴ４２との間に配置された定電流回路４４と、ｎＭＯＳＦＥＴ４３とグランドとの間に配置された定電流回路４５とを有している。
ｐＭＯＳＦＥＴ４２は、そのソースがｎＭＯＳＦＥＴ４３のドレインに、ドレインが電源に接続され、入力されたクロック信号によって、オン又はオフとなり、オンとなるときに、ｐＭＯＳＦＥＴ４２のソースとｎＭＯＳＦＥＴ４３のドレインとの接続点で出力波形が立ち上がる。
【００８１】
また、ｎＭＯＳＦＥＴ４３は、そのドレインがｐＭＯＳＦＥＴ４２のソースに、ソースがグランドに接続され、入力されたクロック信号によって、オン又はオフとなる。
クロック制御部２１Ｂから供給される電流値設定信号によって、定電流回路４４，４５に流れる電流が一定値に保たれる。
【００８２】
例えば、定電流回路４４を流れる電流値を比較的大きく設定した場合には、立上り時間は、比較的短くなり、電流値を比較的小さく設定した場合には、立上り時間は、比較的長くなる。
また、定電流回路４５を流れる電流値を比較的大きく設定した場合には、立下り時間は、比較的短くなり、電流値を比較的小さく設定した場合には、立下り時間は、比較的長くなる。
【００８３】
次に、図６を参照して、この例の携帯電話機のクロック出力部の動作について説明する。
クロック制御部２１Ｂは、第１の実施例と同様にデューティ比設定処理を実行する。
次に、クロック制御部２１Ｂは、立上り・立下り時間設定処理を実行する。
クロック制御部２１Ｂは、まず、  立上り・立下り時間候補選定処理で、立上り・立下り時間候補として、（ｔr＝１／ｍ）を選定する。
【００８４】
例えば、受信周波数ｆrが、（ｆr＝８８０［ＭＨｚ］）、クロック信号ｑ2の周波数ｆ1が、（ｆ1＝４［ＭＨｚ］）の場合には、１／２２０［μｓ］，１／１１０［μｓ］，１／５５［μｓ］，…が立上り・立下り時間候補として選定される。
【００８５】
次に、クロック制御部２１Ｂは、最適立上り・立下り時間抽出処理で、立上り・立下り時間候補選定処理で選定された複数の立上り・立下り時間候補のなかから、１つの立上り・立下り時間を選定する。
クロック信号ｑ2の立上り・立下り時間を最適に制御することで、受信回路で感度劣化を引き起こすノイズ成分としてのクロック信号ｑ2の高次の高調波が下げられる。
【００８６】
クロック制御部２１Ｂは、算出したマスタクロック信号ｑ0の周波数ｆ0、クロック信号ｑ1，ｑ2の周波数ｆ1、デューティ比Ｄ、立上り・立下り時間ｔrを、設定情報として、記憶部２２Ｂを情報記憶部に記憶させる。
【００８７】
デューティ比Ｄ及び立上り・立下り時間ｔrの設定処理後、クロック制御部２１Ｂは、図６に示すように、デューティ比制御処理で、デューティ比可変部２５を制御して、選定されたデューティ比Ｄに基づいて、クロック信号ｑ0のデューティ比を制御して、周波数ｆ1及びデューティ比Ｄのクロック信号ｑ1を出力させる。
【００８８】
また、クロック制御部２１Ｂは、立上り・立下り時間制御処理で、立上り・立下り時間可変回路４１を制御して、選定された立上り・立下り時間に基づいて、クロック信号の立上り・立下り時間ｔrを変化させて、所定の周波数ｆ1、デューティ比Ｄ、及び立上り・立下り時間ｔrのクロック信号ｑ2を出力させる。
【００８９】
通信時に、例えば、周波数ｆr（＝８８０［ＭＨｚ］）の受信波を受ける場合に、クロック信号発生回路２３から、例えば、周波数ｆ0（＝４８［ＭＨｚ］）のクロック信号ｑ0が出力されると、デューティ比可変回路２５は、周波数ｆ1が４［ＭＨｚ］で、次数２２０の約数について、（Ｄ＝１／ｍ）、又は（Ｄ＝（ｍ−１）／ｍ）として、１／２，１／４，３／４，１／５，４／５，１／１０，９／１０，…のなかから選択されたデューティ比Ｄのクロック信号ｑ1を出力する。
【００９０】
さらに、立上り・立下り時間可変回路４１は、１／２２０［μｓ］，１／１１０［μｓ］，１／５５［μｓ］，…のなかから選択された立上り・立下り時間ｔrのクロック信号ｑ2を出力する。
これにより、クロック信号ｑ2の２２０次の高調波が輻射されて、受信周波数ｆrが８８０［ＭＨｚ］の受信回路で感度劣化を引き起こすことが回避される。
【００９１】
この例の構成によれば、上述した第１の実施例と略同様の効果を得ることができる。
加えて、対象の高調波成分の低減が可能なクロック信号ｑ2のデューティ比と、立上り・立下り時間とを求め、所定のデューティ比、及び立上り・立下り時間のクロック信号ｑ2を用いることで、クロック信号ｑ2の所定の高調波成分の受信回路への影響を一段と確実に防止することができる。
【００９２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、無線通信部を構成するクロック信号発生回路から出力されるクロック信号を制御対象とする場合について述べたが、このほか、無線通信部の外部に設けられたクロック発生回路から出力されるクロック信号を、無線受信回路において受信波に対するノイズ成分が低減されるように制御する場合等に適用できる。
【００９３】
すなわち、クロック信号発生回路や、デューティ比可変回路又は立上り・立下り時間可変回路、クロック制御部は、それぞれ、無線通信部の内部に配置されていても良いし、外部に配置されていても良い。
この場合、無線通信部を構成するデジタル回路に供給されるクロック信号であるか否かを問わず、一般に、無線受信回路に影響を与えるクロック信号を制御対象とする場合に適用できる。例えば、コントローラを構成する主制御部で用いられるクロック信号も制御対象とされる。また、例えば、クロック制御部を廃して、主制御部がクロック制御部の機能を兼ねても良い。
【００９４】
また、デューティ比は、必ずしも厳密に次数の約数に設定してなくても、この値を中心として所定の範囲内で設定しても良い。すなわち、約数の近似値であっても良い。また、次数は、受信周波数に対するクロック信号の周波数の比の近似値として求めても良い。
同様に、立上り・立下り時間は、厳密に受信周波数の約数の逆数に設定してなくても、この値を中心として所定の範囲内で設定しても良い。すなわち、約数の逆数の近似値であっても良い。
【００９５】
また、立上り・立下り時間として、受信周波数の近似値の約数の逆数を求めても良い。ここで、例えば、有効数字の桁数を設定して整数化してから約数を求めても良いし、上記桁数分の有効数字を整数として扱って、この整数の約数を求めてから受信周波数の約数を求めても良い。また、受信周波数の約数の逆数に限らず、受信周波数を所定の自然数で除した値の逆数を、立上り・立下り時間として求めても良い。いずれも、クロック信号の所定の高調波を下げる効果を得ることができる。
なお、上述したデューティ比制御処理や立上り・立下り時間制御処理を、必ずしも常時実行しなくても、例えば、受信時にのみ、実行するようにしても良い。
【００９６】
また、第１の実施例で、最適なデューティ比を自動的に設定するようにしても良いし、選定されたデューティ比候補を表示させて、操作者が選択操作によって最適なデューティ比を設定するようにしても良い。また、必ずしも全てのデューティ比候補を求めなくても良い。
【００９７】
また、第１の実施例で、主制御部が、クロック制御部の一部又は全部を兼ねて良い。すなわち、クロック制御部のデューティ比設定処理機能、又は／及びデューティ比制御処理機能を実行しても良い。
また、第１の実施例で、小型ＴＶアンテナを介して地上波デジタル放送の１ＳＥＧ（１セグメント）放送を受信するＴＶ受信部を設けるようにしているも良い。
【００９８】
また、第２の実施例で、無線ＬＡＮに接続するための無線通信部を設けるようにしているも良い。この場合、３つの次数の公約数に基づいて、デューティ比を選定するようにしても良い。また、３つと限らず、４つ以上でも適用することができる。
【００９９】
また、第３の実施例で、クロック信号のデューティ比に代えて、立上り・立下り時間のみを制御して、高調波を低減するように構成しても良い。すなわち、デューティ比可変回路と、クロック制御部のデューティ比設定処理機能や、デューティ比制御処理機能等を廃しても良い。
また、第３の実施例で、両定電流回路を制御して、立上り時間と立下り時間とを別々に変化させても良いし、略同一値としても良い。
【０１００】
また、第３の実施例で、高調波の次数の公約数を用いて、２種類の受信波についても対応可能なようにしても良い。
また、第３の実施例で、立上り時間及び立下り時間を変化させるとともに、デューティ比も独立に変化させて、複数種の受信波に対応させるようにしても良い。すなわち、所定の立上り時間及び立下り時間に対応する高調波と、所定のデューティ比に対応する高調波とを、別々に設定しても良い。
【産業上の利用可能性】
【０１０１】
携帯型の電子機器としては、携帯電話機のほか、簡易型携帯電話（ＰＨＳ）端末や、携帯情報端末（ＰＤＡ）、携帯型のコンピュータに対して適用できる。また、電子機器として、携帯型のもののほか、無線通信機能を有するコンピュータ等に対して適用できる。
【図面の簡単な説明】
【０１０２】
【図１】この発明の第１の実施例である携帯電話機のクロック出力部の構成を示すブロック図である。
【図２】同携帯電話機の構成を示すブロック図である。
【図３】同携帯電話機のコントローラの構成を示すブロック図である。
【図４】同クロック出力部のデューティ比可変回路の出力波形を示す波形図である。
【図５】この発明の第２の実施例である携帯電話機の構成を示すブロック図である。
【図６】この発明の第３の実施例である携帯電話機のクロック出力部の構成を示すブロック図である。
【図７】同クロック出力部の立上り・立下り時間可変回路の構成を示す回路図である。
【図８】同立上り・立下り時間可変回路の出力波形を示す波形図である。
【図９】同立上り・立下り時間可変回路からのクロック信号の出力波形のスペクトルを説明するための説明図である。
【符号の説明】
【０１０３】
１，１Ａ      携帯電話機（電子機器）
４      無線通信部（無線受信回路）
２１      クロック制御部（クロック信号制御手段、デューティ比設定手段）
２１Ｂ      クロック制御部（クロック信号制御手段、立上り・立下り時間設定手段）
２２，２２Ｂ      記憶部
２３      クロック信号発生回路
２５      デューティ比可変回路
２６，２６Ｂ      クロック出力部
３２      ＧＰＳ受信部（無線受信回路）
４１      立上り・立下り時間可変回路
【図１】
2009044271.tif 000015
【図２】
2009044271.tif 000016
【図３】
2009044271.tif 000017
【図４】
2009044271.tif 000018
【図５】
2009044271.tif 000019
【図６】
2009044271.tif 000020
【図７】
2009044271.tif 000021
【図８】
2009044271.tif 000022
【図９】
2009044271.tif 000023